(57)【特許請求の範囲】
【請求項１】
入口部から出口部に向けて内部に一方向の空気の流路となる清浄化流路が形成された装置本体と、
前記清浄化流路に沿って区画されて形成された複数の清浄化領域と、
該清浄化領域に配設される空気清浄化のための清浄作用物とを備え、
前記清浄作用物として、殺菌のための紫外線光源、吸着による消臭のための活性炭、化学反応による消臭のための消臭剤、及び付香のための芳香剤をそれぞれ有し、
前記清浄作用物は、通風可能に形成されているそれぞれ同一形状の容器に収容されて清浄化ユニットを形成し、
前記清浄化領域は、前記清浄化ユニットを受容可能にそれぞれ同一形状に形成されていて、
前記装置本体はキャスター付きの台車に載置されていて、
該台車上には、前記清浄化領域に配設されていない前記清浄化ユニットを載置するための保管スペースを有し、
前記清浄化ユニットは、その場で選択された前記清浄作用物が収容されたものが前記清浄化領域にセットされていて、使用されないものは前記保管スペースに載置されていることを特徴とする空間清浄装置。
【請求項２】
前記清浄化流路の最上流側又は最下流側に集塵フィルタが配されていることを特徴とする請求項１に記載の空間清浄装置。
【請求項３】
前記台車上には、前記装置本体を覆う空間に空気流を発生させるためのサーキュレータが載置されていることを特徴とする請求項１に記載の空間清浄装置。
【請求項４】
前記保管スペースには、前記清浄化ユニットが配設されていない前記清浄化領域に対して前記清浄化ユニットの挿入口を塞ぐ蓋体が載置されていることを特徴とする請求項１に記載の空間清浄装置。
【発明の詳細な説明】
【技術分野】
【０００１】
本発明は、空間を清浄化させるための機能を複数用いることで当該空間に最適な清浄化を施すための空間清浄装置に関する。
【背景技術】
【０００２】
空間（空気）に対して殺菌、脱臭、消臭、芳香等を施していわゆる空気を浄化することは公知である。そのための手段として、活性炭や芳香剤、あるいは紫外線ランプを用いることも公知である（例えば特許文献１及び２参照）。特許文献１は光触媒機構に関し、芳香剤や活性炭の消耗を懸念して短波長光ランプ（紫外線ランプ）を用いるものである。また特許文献２も活性炭や芳香剤の定期的交換の手間を省くべく、紫外線ランプを用いて空気を浄化しようとするものである。
【０００３】
しかしながら、空間の浄化のために特許文献１や２で省かれた活性炭や芳香剤もその空間の状況に応じて最適な清浄化のために必要である場合がある。ホテルや病院等では種々の条件からなる空間が存在しているため、これを紫外線ランプのみからなる浄化装置で一律に対応することは困難である。活性炭や化学反応による脱臭剤、あるいはアロマ等の芳香剤を用いた空気浄化装置もあるが、これらもやはりそれぞれの機能単独で用いられているため、その空間に応じた空間清浄を行うことは困難である。
【先行技術文献】
【特許文献】
【０００４】
【特許文献１】特開平１０−７１１９７号公報
【特許文献２】特開平１１−２９０４３０号公報
【発明の概要】
【発明が解決しようとする課題】
【０００５】
本発明は、上記従来技術を考慮したものであり、適用される空間に合わせて殺菌、脱臭（消臭）、芳香作用を当該空間に施すことができる空間清浄装置を提供することを目的とする。
【課題を解決するための手段】
【０００６】
前記目的を達成するため、本発明では、入口部から出口部に向けて内部に一方向の空気の流路となる清浄化流路が形成された装置本体と、前記清浄化流路に沿って区画されて形成された複数の清浄化領域と、該清浄化領域に配設される空気清浄化のための清浄作用物とを備え、前記清浄作用物は、殺菌のための紫外線光源、吸着による消臭のための活性炭、化学反応による消臭のための消臭剤、又は付香のための芳香剤のいずれかから選択されていることを特徴とする空間清浄装置を提供する。
【０００７】
好ましくは、前記清浄作用物は、通風可能に形成されているそれぞれ同一形状の容器に収容されて清浄化ユニットを形成し、前記清浄化領域は、前記清浄化ユニットを受容可能にそれぞれ同一形状に形成されている。
【０００８】
好ましくは、前記清浄化流路の最上流側又は最下流側に集塵フィルタが配されている。
【０００９】
好ましくは、前記装置本体はキャスター付きの台車に載置されていて、該台車上には、前記清浄化領域に配設されていない前記清浄化ユニットを載置するための保管スペースと、前記装置本体を覆う空間に空気流を発生させるためのサーキュレータが載置されている。
【００１０】
好ましくは、前記保管スペースには、前記清浄化ユニットが配設されていない前記清浄化領域に対して前記清浄化ユニットの挿入口を塞ぐ蓋体が載置されている。
【発明の効果】
【００１１】
本発明によれば、清浄化領域に対して清浄作用物が選択されて配設されているので、清浄作用物によって空気に対して清浄化作用を施すことができる。したがって、適用される空間に合わせて殺菌、脱臭（消臭）、芳香作用を有する清浄作用物を選択してその効果を当該空間に施すことができる。例えば、清浄化流路に対する清浄作用物の配設される順番を考慮したり、任意の清浄作用物を多く配設したりして調整することができる。また、これら清浄作用物は空気が一方向に流れる清浄化流路に配されているので、空気は必ず清浄作用物が配された清浄化領域を通過してその清浄化作用による効果が付与されることになる。このため、確実に装置本体外部の空間にある空気に対して清浄化を施すことができる。
【００１２】
また、清浄化領域を同一形状として、それぞれこの清浄化領域に同一形状の容器が受容される構造としているので、それぞれの清浄作用物が収容された清浄化ユニットを簡単に各清浄化領域に交換可能に受容させることができる。したがって空間を清浄化する際の作業性及び取り扱い性が向上し、作業効率が高まる。
【００１３】
また、清浄化流路の最上流側又は最下流側（いずれか一方又は両方）に集塵フィルタが配されているので、空間中に浮遊している塵埃をこの集塵フィルタにて捕集することができ、空気の清浄化作用の効果をさらに高めることができる。
【００１４】
また、装置本体をキャスター付きの台車に載置することで、全体として自立した構造とでき、したがって病院やホテル等の部屋に備え付けることなく持ち運んで適宜利用することができる。このため、既存の施設内の空間に対しても有効に清浄化を図るために利用することができる。また、台車上に非使用の清浄化ユニットを載置するための保管スペースを設けることで、作業者がその場で適宜清浄化ユニットを選択してその空間の状況に合わせた清浄化操作を行うことができる。また、台車上にサーキュレータを載置することで、清浄化させるべき空間に空気流を発生させて空間内を万遍なく清浄化することができる。
【００１５】
また、保管スペースに蓋体を載置しておくことで、この蓋体で使用しない清浄化領域に形成された清浄化ユニットの挿入口を塞ぎ、この挿入口から空気が漏れることを防止できる。
【図面の簡単な説明】
【００１６】
【図１】本発明に係る空間清浄装置の概略図である。
【図２】装置本体の概略断面図である。
【図３】本発明に係る空間清浄装置の概略図である。
【発明を実施するための形態】
【００１７】
図１に示すように、本発明に係る空間清浄装置１は、装置１が配された周囲を覆う空間の清浄化を行う装置本体２を備えている。この装置本体２は、図２に示すように、入口部３から出口部４に向けて内部に一方向の空気の流路となる清浄化流路５が形成されている（図２の矢印方向）。なお、この空気の流れは清浄化流路５の上流側に配設されたファン８により形成される。清浄化流路５は装置本体２内を一方向に流れるので、入口部３から流入した空気は全て出口部４から流出する。この清浄化流路５には、複数の清浄化領域６が形成されている。清浄化領域６は清浄化流路５に沿って区画されて形成されている。したがって、入口部３から流入した空気はそれぞれ形成された複数の清浄化領域６の全てを通過する。
【００１８】
清浄化領域６には、清浄作用物７が配設されている。この清浄作用物７は空気清浄化のための作用を有するものであり、例えば殺菌のための紫外線光源７ａや、吸着による消臭のための活性炭７ｂや、化学反応による消臭のための消臭剤７ｃや、付香のための芳香剤７ｄ等がある。清浄作用物７は、これら７ａ〜７ｄのいずれかから選択されて配設されている。
【００１９】
紫外線光源７ａとしてはＵＶランプやＵＶＬＥＤ等、４００ｎｍ〜２６０ｎｍ程度の短波長の光を発するものを利用可能である。また、脱臭効果も奏するために紫外線光源７ａの周囲に酸化チタンからなるシートを配して光触媒効果による清浄化を行ってもよい。これにより、さらに空気の清浄効果を高めることができる。活性炭７ｂは空間内の臭い成分を吸着して消臭効果を図るものである。例えば活性炭の粒を網状の袋内に入れて利用できる（粉末活性炭を用いてもよい）。消臭剤７ｃはゲルタイプのもの等を利用でき、化学反応により臭い成分を分解するものを利用できる。芳香剤７ｄとしてはアロマ等を利用でき、例えばビーズタイプのアロマを網状の袋内に入れて利用できる。
【００２０】
このように、清浄化領域６に対して清浄作用物７が選択されて配設されているので、一又は複数の清浄作用物７によって空気に対して清浄化作用を施すことができる。したがって、適用される空間に合わせて殺菌、脱臭（消臭）、芳香作用を有する清浄作用物７を選択してその効果を当該空間に施すことができる。例えば、清浄化流路５に対する清浄作用物７の配設される順番を考慮したり、任意の清浄作用物７を多く配設したりして調整することができる。なお、図１の例では４つの清浄化領域６に対して４つのそれぞれ別々の清浄作用物７（７ａ〜７ｄ）を配設した例を示している。
【００２１】
また、これら清浄作用物７は空気が一方向に流れる清浄化流路５に配されているので、空気は必ず清浄作用物７が配された清浄化領域６を通過してその清浄化作用による効果が付与されることになる。このため、確実に装置本体２の外部の空間にある空気に対して清浄化を施すことができる。
【００２２】
ここで、各清浄作用物７は、それぞれ同一形状の容器１２に収容され、清浄化ユニット１０を形成している。この容器１２はその両面に貫通孔９が形成されているので、清浄化流路内の空気が容器１２を通過するように通風可能に形成されている。一方で清浄化領域６も、この清浄化ユニット１０を受容可能となるようにそれぞれ同一形状で形成されている。具体的には、全ての清浄化ユニット１０に適合するような形状の受け部材１１が清浄化領域６には配されている。このように、清浄化領域６を同一形状として、それぞれこの清浄化領域６に同一形状の容器１２が受容される構造としているので、それぞれの清浄作用物７が収容された清浄化ユニット１０を簡単に各清浄化領域６に交換可能に受容させることができる。したがって空間を清浄化する際の作業性及び取り扱い性が向上し、作業効率が高まる。
【００２３】
清浄化ユニット１０の側面には把持部１５が取り付けられている。作業者はこの把持部１５を握って清浄化ユニット１０を清浄化領域に対して出し入れ可能である。具体的には、図３に示すように、清浄化ユニット１０は装置本体２の一方の側面に開口した清浄化領域６と通じる挿入口１６から出し入れされる。なお、紫外線光源７ａを収容している容器１２については、空気が紫外線光源７ａの長手方向に沿って流れるように、貫通孔９は容器１２の上流側及び下流側にて紫外線光源７ａの一方の端部側及び他方の端部側と異なる端部側に形成される。
【００２４】
また、清浄化流路５の最上流側又は最下流側に集塵フィルタ１３が配されていてもよい。図２の例では、清浄化流路５の最上流側と最下流側の両方に集塵フィルタ１３が配された例を示している。この集塵フィルタ１３としては、ＨＥＰＡフィルタ等を利用できる。集塵フィルタ１３の清浄化流路５に対する前後側には、網形状の網状体１４がそれぞれ配されている。このように、清浄化流路５の最上流側又は最下流側（いずれか一方又は両方）に集塵フィルタ１３を配することで、空間中に浮遊している塵埃をこの集塵フィルタ１３にて捕集することができ、空気の清浄化作用の効果をさらに高めることができる。
【００２５】
装置本体２は台車１８上に載置されている。台車１８にはキャスター１７が付いているので、容易に移動させることが可能である。この台車１８にはさらに保管スペース１９が形成されている。保管スペース１９は、清浄化領域６に配設されていない清浄化ユニット１０を載置するためのスペースである（図１参照）。保管スペース１９には、予備の清浄化ユニット１０も載置しておくことができる。また台車１８には、装置本体２を覆う空間に空気流を発生させるためのサーキュレータ２０が載置されている。
【００２６】
このように、装置本体２をキャスター１７付きの台車１８に載置することで、全体として自立した構造とでき、したがって空間清浄装置１を病院やホテル等の部屋に備え付けることなく持ち運んで適宜利用することができる。このため、既存の施設内の空間に対しても有効に清浄化を図るために利用することができる。また、台車１８上に非使用の清浄化ユニット１０を載置するための保管スペース１９を設けることで、作業者がその場で適宜清浄化ユニット１０を選択してその空間の状況に合わせた清浄化操作を行うことができる。また、台車１８上にサーキュレータ２０を載置することで、清浄化させるべき空間に空気流を発生させて空間内を万遍なく清浄化することができる。
【００２７】
保管スペース１９には、清浄化ユニット１０が配設されていない清浄化領域６に対して清浄化ユニット１０の挿入口１６を塞ぐ蓋体２１が載置されていてもよい（図３参照）。このように、保管スペース１９に蓋体２１を載置しておくことで、この蓋体２１で使用しない清浄化領域６に形成された清浄化ユニット１０の挿入口１６を塞ぎ、この挿入口１６から空気が漏れることを防止できる。すなわち、清浄化されない空気が空間内に排出されることを防止できる。
【００２８】
例えばホテルの清掃サービスで空間清浄装置１を利用する場合、作業者は台車１８を用いて容易に清掃すべき部屋に空間清浄装置１を移動させる。そしてその室内の空間の状況に応じてそれに適した清浄化ユニット１０を取捨選択し、それぞれ清浄化領域６にセットする。使用しない清浄化領域６には蓋体２１でその挿入口１６を塞ぐ。使用しない清浄化ユニット１０及び蓋体２１は保管スペース１９に載置する。そして装置本体２の側面に配されたスイッチ２２を操作してスイッチ２２をオンにする。同時にサーキュレータ２０を用いて空間内の空気を攪拌してもよい。スイッチ２２をオンにするとファン８が回転し、空間内の空気が入口部３から装置本体２内に流入する。空気は清浄化流路５を通過し、各清浄化ユニット１０により清浄化されて出口部４から再び空間内に流出する。
【００２９】
このとき、例えば清浄化ユニット１０としては最上流側の清浄化領域６に紫外線光源７ａが収容されたものを用い、次の上流側の清浄化領域６に活性炭７ｂが収容されたものを用い、次の上流側の清浄化領域６に消臭剤７ｃが収容されたものを用いて、最下流側の清浄化領域６には蓋体２１を取り付ける。これにてまずは空間内を無臭状態にして、最後に全ての清浄化ユニット１０を取り外した後、芳香剤７ｄが収容された清浄化ユニット１０をセットして付香する。この付香にかける時間は装置本体２の側面に配されたタイマー２３にて計りながら行うことができる。そして空間の清浄化が完了した後、スイッチ２２をオフにしてファン８を止める。そして次なる部屋に空間清浄装置１を移動させて空間の清浄化を順次行っていく。
【符号の説明】
【００３０】
１：空間清浄装置、２：装置本体、３：入口部、４：出口部、５：清浄化流路、６：清浄化領域、７：清浄作用物、７ａ：紫外線光源、７ｂ：活性炭、７ｃ：消臭剤、７ｄ：芳香剤、８：ファン、９：貫通孔、１０：清浄化ユニット、１１：受け部材、１２：容器、１３：集塵フィルタ、１４：網状体、１５：把持部、１６：挿入口、１７：キャスター、１８：台車、１９：保管スペース、２０：サーキュレータ、２１：蓋体、２２：スイッチ、２３：タイマー
【図１】
0006436798.tif 000002
【図２】
0006436798.tif 000003
【図３】
0006436798.tif 000004